(57)【要約】【課題】家屋の各出入口の状態を確認するためのホームセキュリティーシステムにおいて、家屋の出入口のロック／非ロック状態および開閉状態を容易に確認できるようにする。【解決手段】家屋の出入口２３に設けられ、該出入口２３を開閉自在とする開閉部材２５と、前記出入口２３を閉じた状態に保持するように前記開閉部材２５を移動不能とするロック状態、および前記開閉部材２５を移動可能とする非ロック状態に切り換え可能なロック装置３１とを備え、前記開閉部材２５による前記出入口２３の開閉状態を検出する開閉検出部１１と、前記ロック装置３１のロック／非ロック状態を検出するロック検出部と、これら検出結果を確認する端末装置とを備えることを特徴とするホームセキュリティーシステムを提供する。【選択図】      図３
2004270172.tif 000002
【特許請求の範囲】
【請求項１】
家屋の出入口に設けられ、該出入口を開閉自在とするドア、窓等の開閉部材と、前記出入口を閉じた状態に保持するように前記開閉部材を移動不能とするロック状態、および前記開閉部材を移動可能とする非ロック状態に切り換え可能なロック装置とを備え、
前記開閉部材による前記出入口の開閉状態を検出する開閉検出部と、前記ロック装置のロック／非ロック状態を検出するロック検出部と、これら検出結果を確認する端末装置とを備えることを特徴とするホームセキュリティーシステム。
【請求項２】
前記開閉検出部が、磁気センサと磁性体とを備え、
前記開閉部材により前記出入口を閉じた状態において、前記出入口の周縁を形成する枠部に、前記磁気センサまたは前記磁性体のいずれか一方が設けられ、
前記出入口の枠部に対向する前記開閉部材の表面側に、前記磁気センサまたは前記磁性体のいずれか他方が設けられ、
前記磁気センサと前記磁性体とが互いに近接する状態において、前記出入口が閉じられていることを前記磁気センサが検出することを特徴とする請求項１に記載のホームセキュリティーシステム。
【請求項３】
前記ロック装置が、第１の係合部と、該第１の係合部に係合可能な第２の係合部とを備え、
前記ロック検出部が、前記第１、第２の係合部のいずれか一方に設けられた磁気センサと、前記第１、第２の係合部のいずれか他方に設けられた磁性体とを備え、
前記磁気センサと前記磁性体とが互いに近接する状態において、前記ロック装置がロック状態にあることを前記磁気センサが検出することを特徴とする請求項１または請求項２に記載のホームセキュリティーシステム。
【請求項４】
前記開閉検出部およびロック検出部による前記出入口の開閉状態およびロック／非ロック状態の検出結果に基づき、ロック状態かつ出入口を閉じた状態、非ロック状態かつ出入口を閉じた状態、および非ロック状態かつ出入口を開いた状態の合計３種類の状態を検出するデコーダを備えることを特徴とする請求項１から請求項３に記載のホームセキュリティーシステム。
【請求項５】
前記家屋が前記出入口を複数有し、
前記開閉検出部および前記ロック検出部が、複数の前記出入口に設けられ、
前記開閉検出部およびロック検出部による複数の前記出入口の開閉状態およびロック／非ロック状態の検出結果を一度に読み込み、これら複数の検出結果をシリアルデータに変換するシリアルデータ変換手段を備え、
前記シリアルデータを前記シリアルデータ変換部から前記端末装置に出力することを特徴とする請求項１から請求項４のいずれか１項に記載のホームセキュリティーシステム。
【請求項６】
前記開閉検出部およびロック検出部による前記出入口の開閉状態およびロック／非ロック状態の検出結果を無線により前記端末装置に出力する無線通信手段とを備えることを特徴とする請求項１から請求項５のいずれか１項に記載のホームセキュリティーシステム。
【請求項７】
前記端末装置が、携行可能な携帯端末装置であることを特徴とする請求項６に記載のホームセキュリティーシステム。
【請求項８】
前記端末装置が、前記開閉検出部およびロック検出部による前記出入口の開閉状態およびロック／非ロック状態の検出結果を画像により表示するグラフィック表示手段を備えることを特徴とする請求項１から請求項７のいずれか１項に記載のホームセキュリティーシステム。
【発明の詳細な説明】
【０００１】
【発明の属する技術分野】
この発明は、家屋の各出入口の状態を確認するためのホームセキュリティーシステムに関する。
【０００２】
【従来の技術】
従来のホームセキュリティーシステムとしては、家屋の出入口に設けられたドアを開閉不能にするロック装置のロック／非ロック状態を検出し、該検出結果を確認する確認装置を備えたものがある（例えば、特許文献１参照。）。
【０００３】
【特許文献１】
特開昭６４−４４５９６号公報
【０００４】
【発明が解決しようとする課題】
しかしながら、上記従来のホームセキュリティーシステムは、ドアや窓に設けられたロック装置のロック／非ロック状態のみを検出するものであり、ドアや窓の開閉状態を検出していなかった。このため、非ロック状態におけるドアや窓の開閉状態を確認装置において確認することができず、非ロック状態にあるドアや窓を逐一視認する必要があり面倒であるという問題があった。
この発明は、上述した事情に鑑みてなされたものであって、家屋の出入口のロック／非ロック状態および開閉状態を容易に確認できるホームセキュリティーシステムを提供することを目的としている。
【０００５】
【課題を解決するための手段】
上記課題を解決するために、この発明は以下の手段を提案している。
請求項１に係る発明は、家屋の出入口に設けられ、該出入口を開閉自在とするドア、窓等の開閉部材と、前記出入口を閉じた状態に保持するように前記開閉部材を移動不能とするロック状態、および前記開閉部材を移動可能とする非ロック状態に切り換え可能なロック装置とを備え、前記開閉部材による前記出入口の開閉状態を検出する開閉検出部と、前記ロック装置のロック／非ロック状態を検出するロック検出部と、これら検出結果を確認する端末装置とを備えることを特徴とするホームセキュリティーシステムを提案している。
【０００６】
この発明に係るホームセキュリティーシステムによれば、出入口が閉じられており、かつ、開閉部材がロック装置により移動不能となっている状態においては、ロック検出部がロック状態にあることを検出すると共に、開閉検出部が開閉部材により出入口が閉じられていることを検出する。また、出入口が閉じられているが、開閉部材が移動可能となっている状態においては、ロック検出部が非ロック状態にあることを検出すると共に、開閉検出部が開閉部材により出入口が閉じられていることを検出する。さらに、出入口が開かれ、かつ、開閉部材が移動可能となっている状態においては、ロック検出部が非ロック状態にあることを検出すると共に、開閉検出部が開閉部材により出入口が開かれていることを検出する。
これらの検出結果は、端末装置において確認できるため、ロック装置のロック／非ロック状態、および開閉部材による出入口の開閉状態を、出入口の場所まで行って直接確認する必要がない。
【０００７】
請求項２に係る発明は、請求項１に記載のホームセキュリティーシステムにおいて、前記開閉検出部が、磁気センサと磁性体とを備え、前記開閉部材により前記出入口を閉じた状態において、前記出入口の周縁を形成する枠部に、前記磁気センサまたは前記磁性体のいずれか一方が設けられ、前記出入口の枠部に対向する前記開閉部材の表面側に、前記磁気センサまたは前記磁性体のいずれか他方が設けられ、前記磁気センサと前記磁性体とが互いに近接する状態において、前記出入口が閉じられていることを前記磁気センサが検出することを特徴とするホームセキュリティーシステムを提案している。
【０００８】
請求項３に係る発明は、請求項１または請求項２に記載のホームセキュリティーシステムにおいて、前記ロック装置が、第１の係合部と、該第１の係合部に係合可能な第２の係合部とを備え、前記ロック検出部が、前記第１、第２の係合部のいずれか一方に設けられた磁気センサと、前記第１、第２の係合部のいずれか他方に設けられた磁性体とを備え、前記磁気センサと前記磁性体とが互いに近接する状態において、前記ロック装置がロック状態にあることを前記磁気センサが検出することを特徴とするホームセキュリティーシステムを提案している。
【０００９】
これら発明に係るホームセキュリティーシステムによれば、磁気センサと磁性体とが互いに近接している状態において、出入口が閉じられていることや、開閉部材が移動不能となっていることを磁気センサが検出する。また、磁気センサと磁性体とが互いに離間している状態においては、出入口が閉じられていることや、開閉部材が移動不能であることが磁気センサにより検出されないため、出入口が開かれていることや、開閉部材が移動可能となっていることを検出できる。
このように開閉検出部やロック検出部は、磁気センサおよび磁性体を用いて磁力により出入口の開閉状態や、開閉部材のロック／非ロック状態を検出するため、磁気センサと磁性体とを互いに接触させる必要が無くなる。
したがって、これら開閉検出部およびロック検出部を出入口、開閉部材およびロック装置に取り付ける際の精度が要求されないため、出入口や開閉部材に対する磁気センサや磁性体の取り付けが容易になる。
【００１０】
請求項４に係る発明は、請求項１から請求項３のいずれか１項に記載のホームセキュリティーシステムにおいて、前記開閉検出部およびロック検出部による前記出入口の開閉状態およびロック／非ロック状態の検出結果に基づき、ロック状態かつ出入口を閉じた状態、非ロック状態かつ出入口を閉じた状態、および非ロック状態かつ出入口を開いた状態の合計３種類の状態を検出するデコーダを備えることを特徴とするホームセキュリティーシステムを提案している。
【００１１】
この発明に係るホームセキュリティーシステムによれば、ロック装置によるロック／非ロック状態の２種類の状態と、開閉部材による開閉状態の２種類の状態とから構成される出入口の状態を示す検出結果は合計で４種類の中から意味のある３つの状態を検出して端末装置に送信するようにしているため、端末装置は受け取ったデータをそのまま表示に利用することができる。
【００１２】
請求項５に係る発明は、請求項１から請求項４のいずれか１項に記載のホームセキュリティーシステムにおいて、前記家屋が前記出入口を複数有し、前記開閉検出部および前記ロック検出部が、複数の前記出入口に設けられ、前記開閉検出部およびロック検出部による複数の前記出入口の開閉状態およびロック／非ロック状態の検出結果を一度に読み込み、これら複数の検出結果をシリアルデータに変換するシリアルデータ変換手段を備え、前記シリアルデータを前記シリアルデータ変換部から前記端末装置に出力することを特徴とするホームセキュリティーシステムを提案している。
この発明に係るホームセキュリティーシステムによれば、複数の出入口に設けられた開閉検出部およびロック検出部において検出された検出結果は、シリアルデータ変換手段により一斉に読み出され、端末装置に順次出力するシリアルデータに変換されるため、検出結果を送信するための通信回線を減らすことができる。
【００１３】
請求項６に係る発明は、請求項１から請求項４のいずれか１項に記載のホームセキュリティーシステムにおいて、前記開閉検出部およびロック検出部による前記出入口の開閉状態およびロック／非ロック状態の検出結果を無線により前記端末装置に出力する無線通信手段とを備えることを特徴とするホームセキュリティーシステムを提案している。
この発明に係るホームセキュリティーシステムによれば、開閉検出部およびロック検出部による出入口の状態を示す検出結果が、無線通信手段により端末装置に出力されるため、端末装置に検出結果を出力するためのケーブルの配線工事が不要となる。
【００１４】
請求項７に係る発明は、請求項１から請求項６のいずれか１項に記載のホームセキュリティーシステムにおいて、前記端末装置が、携行可能な携帯端末装置であることを特徴とするホームセキュリティーシステムを提案している。
この発明に係るホームセキュリティーシステムによれば、磁気センサの検出結果を携行可能な携帯電話機やＰＤＡ（Ｐｅｒｓｏｎａｌ  Ｄｉｇｉｔａｌ  Ａｓｓｉｓｔａｎｔｓ）等の携帯端末装置に無線で出力することができるため、家屋の内外を問わず、容易に家屋の出入口の状態を確認することができる。
【００１５】
請求項８に係る発明は、請求項１から請求項７のいずれか１項に記載のホームセキュリティーシステムにおいて、前記端末装置が、前記開閉検出部およびロック検出部による前記出入口の開閉状態およびロック／非ロック状態の検出結果を画像により表示するグラフィック表示手段を備えることを特徴とするホームセキュリティーシステムを提案している。
この発明に係るホームセキュリティーシステムによれば、グラフィック表示手段が、出入口の状態を示す検出結果を画像により表示するため、端末装置のユーザが出入口の状態を容易に認識できる。
【００１６】
【発明の実施の形態】
図１から図９はこの発明に係る一実施形態を示している。この実施の形態に係るホームセキュリティーシステムは、家屋の各出入口に設けられ、出入口を開閉自在とするドアや窓（開閉部材）と、出入口を閉じた状態に保持するようにドアや窓を移動不能とするロック状態、およびドアや窓を移動可能とする非ロック状態とに選択可能なロック装置とを有する出入口の状態を報知するものである。
このホームセキュリティーシステム１は、図１に示すように、ｎ個（ｎは自然数である。）の各出入口に１つずつ設けられた合計ｎ個の検出モジュール３と、これら検出モジュール３から出力される検出結果を確認する携帯電話機（携帯端末装置）５やパーソナルコンピュータ（端末装置）７と、これら検出結果をｎ個の検出モジュール３から読み出して携帯電話機５やパーソナルコンピュータ７に出力するデータ送信部９とを備えている。
【００１７】
検出モジュール３は、図２に示すように、開閉検出部１１、ロック検出部１３およびデコーダ１５を備えている。
開閉検出部１１は、ドアや窓による出入口の開閉状態を検出するものであり、ロック検出部１３は、前述したロック装置のロック／非ロック状態を検出するものである。これら開閉検出部１１およびロック検出部１３は、それぞれ磁気センサ１７，２０および鉄等の磁性体１８，２１を備えており、磁性体１８，２１は、塗布するものや貼付可能なステッカー等の中に含まれている場合がある。各磁気センサ１７，２０は、これら磁性体１８，２１との相対位置に応じてデコーダ１５に「０」または「１」のデジタル信号を出力するようになっている。
【００１８】
これら開閉検出部１１およびロック検出部１３は、例えば、図３に示すように、家屋の出入口２３、およびこの出入口２３を開閉自在にスライドする窓２５に設けられている。
開閉検出部１１の磁性体１８は、出入口２３を開閉自在とする窓２５の側面（表面）２５ａに貼付もしくは塗布されている。開閉検出部１１の磁気センサ１７は、この窓２５をスライドして閉じた状態において、出入口２３の周縁を形成し、磁性体１８に対向する窓枠（枠部）２７に設けられている。
そして、窓２５により出入口２３を閉じた状態（以下、閉状態とも呼ぶ。）においては、磁気センサ１７と磁性体１８とが互いに近接することになる。この際には、磁気センサ１７が磁性体１８の磁力を検出して、デコーダ１５に出入口２３が閉状態であることを示す「１」のデジタル信号を出力する。
また、出入口２３が開いている状態（以下、開状態とも呼ぶ。）においては、磁性体１８が磁気センサ１７から離間することになる。この際には、磁気センサ１７が磁性体１８の磁力を検出せず、デコーダ１５に出入口２３が開状態であることを示す「０」のデジタル信号を出力する。
【００１９】
ロック検出部１３の磁気センサ２０および磁性体２１は、窓２５をロック／非ロック状態とするロック装置３１に設けられている。このロック装置３１は、窓２５に設けられた第１の係合部３３と、窓枠２７に設けられ、鉤状に形成された第２の係合部３５とを備えており、これら第１、第２の係合部３３，３５は、窓２５により出入口２３を閉じた状態において互いに係合可能となっている。
第１の係合部３３は、図４に示すように、所謂鍵レバー３３ａを備え、この鍵レバー３３ａをＡ方向に揺動することにより、第２の係合部３５に係合してロック状態となる。
【００２０】
ロック検出部１３の磁性体２１は、ロック装置３１のロック状態において、第２の係合部３５に近接する第１の係合部３３の表面３３ｂに貼付または塗布されており、ロック検出部１３の磁気センサ２０は、第２の係合部３５の内部に埋め込まれている。
したがって、ロック装置３１がロック状態となっている際には、磁気センサ２０と磁性体２１とが互いに近接するため、磁気センサ２０が磁性体２１の磁力を検出し、磁気センサ２０がデコーダ１５にロック状態であることを示す「１」のデジタル信号を出力する。また、ロック装置３１が非ロック状態となっている際には、磁気センサ２０と磁性体２１とが互いに離間するため、磁気センサ２０が磁性体２１の磁力を検出せず、非ロック状態であることを示す「０」のデジタル信号を出力する。
【００２１】
また、別の検出モジュール３が有する開閉検出部１１およびロック検出部１３は、例えば、図５に示すように、家屋の出入口４１、およびこの出入口４１を開閉自在に揺動するドア４３に設けられている。
この開閉検出部１１の磁性体１８は、ドア４３の側面（表面）４３ａに貼付または塗布されている。開閉検出部１１の磁気センサ１７は、このドア４３を揺動して閉じた状態において、出入口４１の周縁を形成し、磁性体１８に対向するドア枠（枠部）４５に設けられている。そして、ドア４３を揺動して出入口４１を閉じた状態においては、磁気センサ１７と磁性体１８とが近接し、磁気センサ１７が、出入口４１が閉状態であることを示す「１」のデジタル信号を出力する。また、ドア４３を揺動して出入口４１を開いている状態においては、磁性体１８が磁気センサ１７から離間し、磁気センサ１７が、出入口４１が開状態であることを示す「０」のデジタル信号を出力する。
【００２２】
ロック検出部１３の磁気センサ２０および磁性体２１は、ドア４３をロック／非ロック状態とするロック装置４７に設けられている。このロック装置４７は、ドア４３およびドア枠４５に設けられた所謂シリンダー錠であり、図６に示すように、ドア４３に取り付けられた鍵穴４９と、ドア４３の側面４３ａから出没自在なかんぬき棒（第１の係合部）５１と、ドア枠４５の側面４５ａに形成されたかんぬき穴（第２の係合部）５３とを備えている。このかんぬき棒５１は、図示しない鍵を鍵穴４９に挿入して所定の方向（ＣＤ方向）に回転することにより、ドア４３の側面４３ａからかんぬき穴５３内に出入りするようになっている。
【００２３】
ロック検出部１３の磁性体２１は、このかんぬき棒５１の表面５１ａに貼付もしくは塗布されている。また、ロック検出部１３の磁気センサ２０は、かんぬき穴５３の底壁面５３ａ側に設けられている。
したがって、かんぬき棒５１がかんぬき穴５３内に突出している場合にはドア４３が揺動不能となるロック状態となる。この状態においては、磁気センサ２０と磁性体２１とが互いに近接し、磁気センサ２０がデコーダ１５にロック状態であることを示す「１」のデジタル信号を出力する。また、かんぬき棒５１がドア４３の側面４３ａから内部に没している場合には非ロック状態となる。この状態においては、磁気センサ２０と磁性体２１とが互いに離間し、磁気センサ２０がデコーダ１５に非ロック状態であることを示す「０」のデジタル信号を出力する。
【００２４】
デコーダ１５は、図２に示すように、２つの磁気センサ１７，２０から入力されるデジタル信号に基づいて、窓２５やドア４３の開閉状態およびロック／非ロック状態を３種類のデジタル信号により出力するものであり、複数の論理回路から構成されている。このデコーダ１５に関する入出力データの関係は、表１に示すようになっている。
【００２５】
【表１】
2004270172.tif 000003
【００２６】
デコーダ１５は、窓２５やドア４３による開閉状態の２種類のデータと、ロック装置３１，４７のロック／非ロック状態の２種類のデータとから構成される出入口２３，４１の状態を示す４種類のデータに基づき、実際に想定される出入口２３，４１の状態のみを表す３種類の状態を検出するようになっている。すなわち、想定される３種類のデータとは、「開状態かつ非ロック状態」（Ｄ［０］）、「閉状態かつ非ロック状態」（Ｄ［１］）、「閉状態かつロック状態」（Ｄ［２］）であり、１つの出力データのみが「１」となるデジタル信号を出力するようになっている。
データ送信部９は、図１に示すように、パラレル−シリアルコンバータ６１と、通信部６３と、ＣＰＵ６５とを備えている。
パラレル−シリアルコンバータ６１は、ＣＰＵ６５からの指示に基づいて、表２に示すように、ｎ個の検出モジュール３から出力される、Ｄｎ［２］〜Ｄ１［０］の合計３×ｎ個の出力データを一斉に読み出し、これら出力データを一つずつ順番に通信部６３に出力するものである。
【００２７】
【表２】
2004270172.tif 000004
【００２８】
実際には、図７に示すように、はじめに、ＣＰＵ６５が、ステップ状のトリガー信号（ＤＬＮ）をパラレル−シリアルコンバータ６１に出力し、このトリガー信号に基づいて、Ｄｎ［２］〜Ｄ１［０］からなる３ｎ個の出力データを一斉に読み出す。また、この際には、ＣＰＵ６５が略矩形波であるクロック制御信号（ＳＨＣＬＫ）をパラレル−シリアルコンバータ６１に出力し、このクロック制御信号のタイミングに合わせて、パラレル−シリアルコンバータ６１がＤｎ［２］からＤ１［０］までの出力データを順番に通信部６３に出力するようになっている。これらパラレル−シリアルコンバータ６１およびＣＰＵ６５により、開閉検出部１１およびロック検出部１３の検出結果であるＤｎ［２］〜Ｄ１［０］の出力データをシリアルデータに変換するパラレルデータ変換手段１０１が構成されている。
通信部６３は、図１に示すように、ＣＰＵ６５からの指示に基づいて、パラレル−シリアルコンバータ６１から出力されたシリアルデータをＤｎ［２］からＤ１［０］まで順番に携帯電話機５やパーソナルコンピュータ７に無線で送信するようになっている。これら通信部６３およびＣＰＵ６５により無線通信手段１０２が構成されている。
【００２９】
携帯電話機５やパーソナルコンピュータ７は、図８に示すように、通信部７１と、表示部７３と、メモリ部７５と、ＣＰＵ７７とを備えており、通信部７１は、Ｄｎ［２］からＤ１［０］までのシリアルデータを無線により受信するものである。表示部７３は、Ｄｎ［２］からＤ１［０］までの出力データに基づいてｎ個ある家屋の各出入口２３，４１の状態を画像により表示するものである。
メモリ部７５には、表示部７３に画像を表示するための画像データ、一カ所の出入口を表す３種類のデータ（Ｄ［０］〜Ｄ［２］）と画像データ上に表示させる座標とを対応づけた座標テーブル、および各出入口の状態と表示部に表示する画像データの窓やドアに着色する色とを対応づけたカラーテーブルが記憶されている。
【００３０】
画像データは、図９に示すように、家屋Ｈと、家屋Ｈの各出入口に設けられた窓２５やドア４３とを含んだものである。また、座標テーブルは、画像データに描かれる窓２５やドア４３の位置と、各出入口を示す位置データ（Ｄ１〜Ｄｎ）と対応づけたものである。
また、カラーテーブルは、表３に示すように、各出入口の３種類の状態を示す出力データ（Ｄ［０］〜Ｄ［２］）と画像データに描かれる窓２５やドア４３に塗られる色とを対応づけたものである。
【００３１】
【表３】
2004270172.tif 000005
【００３２】
すなわち、「閉状態かつロック状態」であるＤ［２］が安全な状態を示す「青色」、「閉状態かつ非ロック状態」であるＤ［１］が侵入の危険性がある状態を示す「黄色」、「開状態かつ非ロック状態」であるＤ［０］が侵入される危険性が非常に高い状態を示す「赤色」となっている。
【００３３】
ＣＰＵ７７は、通信部７１から入力されるＤ１［０］〜Ｄｎ［２］からなるシリアルデータに基づいて、メモリ部７５から表示部７３に描かれる窓２５やドア４３に着色する色を設定し、表示部７３に表示させる。
これら表示部７３、メモリ部７５およびＣＰＵ７７により開閉検出部１１およびロック検出部１３の検出結果を画像により表示するグラフィック表示手段１０３が構成されている。
なお、携帯電話機５やパーソナルコンピュータ７には、操作部７９が設けられており、携帯電話機５やパーソナルコンピュータ７のユーザが操作部７９を操作することにより、通信部７１および通信部６３を介してデータ送信部９のＣＰＵ６５に各出入口の状態を示すシリアルデータの要求が行われることになる。
【００３４】
以上のように構成されたホームセキュリティーシステム１において、家屋の各出入口２３，４１の状態を確認する際には、はじめに、携帯電話機５やパーソナルコンピュータ７の操作部７９を操作して、データ送信部９のＣＰＵ６５に各出入口の状態を示すデータの要求を行う。
この際には、家屋の各出入口２３，４１の状態を示す３種類のデータ（Ｄ［０］，Ｄ［１］，Ｄ［２］）が、ｎ個の検出モジュール３からそれぞれ読み出され、データ送信部９の通信部６３から携帯電話機５やパーソナルコンピュータ７に無線により送信される。
【００３５】
携帯電話機５やパーソナルコンピュータ７のＣＰＵ７７は、これら３×ｎ個のデータ（Ｄｎ［２］〜Ｄ１［０］）と、メモリ部７５に記憶された座標テーブルおよびカラーテーブルとを参照して、画像データに描かれる窓２５やドア４３に着色する色を決定する。そして、ＣＰＵ７７は、描かれる窓２５やドア４３に、各出入口２３，４１の状態を示す着色を施した画像データを表示部７３に表示させる。
以上により、携帯電話機５やパーソナルコンピュータ７のユーザは、表示部７３に表示された画像データを視認して、窓２５やドア４３の色から各出入口２３，４１の状態を確認することになる。
【００３６】
上記のように、このホームセキュリティーシステム１によれば、家屋の出入口に設けられた開閉検出部１１およびロック検出部１３からの検出結果を携帯電話機５やパーソナルコンピュータ７の表示部７３において確認できるため、ロック装置３１，４７のロック／非ロック状態、および窓２５やドア４３による出入口の開閉状態を、出入口の場所まで行って直接確認する必要がない。したがって、家屋の出入口のロック／非ロック状態や開閉状態を容易に確認できる。
また、開閉検出部１１およびロック検出部１３は、磁気センサ１７，２０および磁性体１８，２１を用いて磁力により出入口の開閉状態、および窓２５やドア４３のロック／非ロック状態を検出するため、磁気センサ１７，２０と磁性体１８，２１とを互いに接触させる必要が無くなる。したがって、これら磁気センサ１７，２０および磁性体１８，２１を出入口、窓２５、ドア４３およびロック装置３１，４７に取り付ける際の精度が要求されないため、出入口、窓２５やドア４３に対する磁気センサ１７，２０や磁性体１８，２１の取り付けが容易になり、ホームセキュリティーシステム１の設置コストを削減することができる。
【００３７】
また、デコーダ１５が、合計で４種類になる検出結果を実際に想定される出入口の状態のみを表す３種類の状態に変換することにより、検出結果を携帯電話機５やパーソナルコンピュータ７で迅速に利用できる。
また、シリアルデータ変換手段１０１は、検出モジュールから出力される検出結果を、一斉に読み出すと共にシリアルデータに変換して通信部６３に順次出力するため、検出結果を携帯電話機５やパーソナルコンピュータ７に出力するための通信回線の数を減らすことができるため、通信部６３の構成を簡略化して、ホームセキュリティーシステム１の設置コストの削減をさらに図ることができる。
【００３８】
また、無線通信手段１０２は、家屋の各出入口の状態を示す検出結果を無線により携帯電話機５やパーソナルコンピュータ７に出力するため、ケーブルの配線工事が不要となり、ホームセキュリティーシステムのコスト削減をさらに図ることができる。
また、家屋の各出入口２３，４１の状態を確認するための端末装置として携行可能な携帯電話機５を使用することにより、家屋の内外を問わずに容易に家屋の各出入口の状態を確認することができる。
また、グラフィック表示手段１０３は、家屋の各出入口２３，４１の状態を示す検出結果を表示部７３に表示し、特に、出入口２３，４１の状態を色により区別するため、携帯電話機５やパーソナルコンピュータ７のユーザが出入口２３，４１の状態を容易に認識できる。
【００３９】
なお、上記の実施の形態においては、磁性体２１を、第１の係合部３３の表面３３ｂ、および、かんぬき棒５１の表面５１ａに貼付もしくは塗布するとしたが、これに限ることはなく、例えば、第１の係合部３３やかんぬき棒５１自体を鉄等の磁性体から構成するとしても構わない。
また、開閉検出部１１が、窓枠２７側やドア枠４５側に設けられた磁気センサ１７と、窓２５側やドア４３側に設けられた磁性体１８とを備えるとしたが、これに限ることはなく、例えば、磁気センサ１７を窓２５側やドア４３側に設け、磁性体１８を窓枠２７側やドア枠４５側に設けるとしてもよい。
【００４０】
さらに、ロック検出部１３が、第２の係合部３５やかんぬき穴５３側に設けられた磁気センサ２０と、第１の係合部３３やかんぬき棒５１に設けられた磁性体２１とを備えるとしたが、これに限ることはなく、例えば、磁気センサ２０を第１の係合部３３やかんぬき棒５１に設け、磁性体２１を第２の係合部３５やかんぬき穴５３側に設けるとしてもよい。
また、ｎ個全ての出入口に対して検出モジュール３をそれぞれ設置するとしたが、これに限ることはなく、開閉状態やロック／非ロック状態を検出する必要性がある出入口のみに設けるとしてもよい。
【００４１】
さらに、携行可能な携帯電話機５を使用するとしたが、これに限ることはなく、少なくとも携行可能な携帯端末装置であればよい。したがって、例えば、ＰＤＡを使用するとしてもよい。
以上、本発明の実施形態について図面を参照して詳述したが、具体的な構成はこの実施形態に限られるものではなく、本発明の要旨を逸脱しない範囲の設計変更等も含まれる。
【００４２】
【発明の効果】
以上説明したように、請求項１に係る発明によれば、各出入口にロック検出部および開閉検出部を設けることにより、各出入口の場所まで行って出入口の開閉状態を直接確認する必要がなくなるため、家屋の出入口のロック／非ロック状態や開閉状態を容易に確認できる。
【００４３】
また、請求項２および請求項３に係る発明によれば、開閉検出部およびロック検出部に、それぞれ磁気センサおよび磁性体を設けることにより、開閉検出部およびロック検出部を出入口、開閉部材およびロック装置に取り付ける際の精度が要求されないため、ホームセキュリティーシステムの設置コストを削減することができる。
また、請求項４に係る発明によれば、デコーダが、開閉検出部およびロック検出部による検出結果に基づき、実際に想定される出入口の状態のみを表す３種類の状態を検出することにより、端末装置に出力するデータ量を少なくすることができるため、検出結果を端末装置に迅速に出力できる。
また、請求項５に係る発明によれば、開閉検出部およびロック検出部において検出された検出結果を、シリアルデータ変換手段によりシリアルデータに変換して端末装置に出力することにより、検出結果を端末装置に出力するための通信回線の数を減らすことができるため、ホームセキュリティーシステムの設置コストの削減をさらに図ることができる。
また、請求項６に係る発明によれば、無線通信手段により出入口の状態を示す検出結果が端末装置に出力されるため、ケーブルの配線工事が不要となり、ホームセキュリティーシステムのコスト削減をさらに図ることができる。
また、請求項７に係る発明によれば、磁気センサの検出結果を携帯端末装置に無線で出力することができるため、場所を問わずに容易に家屋の出入口の状態を確認できる。
また、請求項８に係る発明によれば、端末装置が、出入口の状態を示す検出結果を画像により表示するグラフィック表示手段を備えるため、端末装置のユーザが出入口の状態を容易に認識できる。
【図面の簡単な説明】
【図１】本発明の実施形態に係るホームセキュリティーシステムの構成を示すブロック図である。
【図２】図１のホームセキュリティーシステムにおいて、検出モジュールの構成を示すブロック図である。
【図３】図１のホームセキュリティーシステムにおいて、開閉検出部を窓に取り付けた場合の一例を示す概略斜視図である。
【図４】図１のホームセキュリティーシステムにおいて、ロック検出部を窓のロック装置に取り付けた場合の一例を示す概略斜視図である。
【図５】図１のホームセキュリティーシステムにおいて、開閉検出部をドアに取り付けた場合の一例を示す概略斜視図である。
【図６】図１のホームセキュリティーシステムにおいて、ロック検出部をドアのロック装置に取り付けた場合の一例を示す概略斜視図である。
【図７】図１のホームセキュリティーシステムにおいて、パラレル−シリアルコンバータの動作タイミングを示すグラフである。
【図８】図１のホームセキュリティーシステムにおいて、携帯電話機やパーソナルコンピュータの構成例を示すブロック図である。
【図９】図１のホームセキュリティーシステムにおいて、表示部に表示される画像の一例を示す図である。
【符号の説明】
１・・・ホームセキュリティーシステム、５・・・携帯電話機（携帯端末装置）、７・・・パーソナルコンピュータ（端末装置）、１１・・・開閉検出部、１３・・・ロック検出部、１５・・・デコーダ、１７，２０・・・磁気センサ、１８，２１・・・磁性体、２３，４１・・・出入口、２５・・・窓（開閉部材）、２７・・・窓枠（枠部）、３１，４７・・・ロック装置、３３・・・第１の係合部、３５・・・第２の係合部、４３・・・ドア（開閉部材）、４５・・・ドア枠（枠部）、５１・・・かんぬき棒（第１の係合部）、５３・・・かんぬき穴（第２の係合部）、１０１・・・シリアルデータ変換手段、１０２・・・無線通信手段、１０３・・・グラフィック表示手段
【図１】
2004270172.tif 000006
【図２】
2004270172.tif 000007
【図３】
2004270172.tif 000008
【図４】
2004270172.tif 000009
【図５】
2004270172.tif 000010
【図６】
2004270172.tif 000011
【図７】
2004270172.tif 000012
【図８】
2004270172.tif 000013
【図９】
2004270172.tif 000014